(57)【要約】【課題】  本発明の目的は、外部素子を使わずに、ミキサー端でハーモニック信号及びイメージ信号を同時に除去できるミキサー及びこれを用いるＲＦ受信機を提供することにある。【解決手段】  ＲＦ受信機に用いられるミキサーが提供される。本発明に係るミキサーは、第１入力信号からハーモニック信号成分を除去する第１ハーモニック除去部及び第２入力信号からハーモニック信号成分を除去する第２ハーモニック除去部を含み、第１ハーモニック除去部及び第２ハーモニック除去部は並列接続され、第１入力信号及び第２入力信号からイメージ信号成分を除去する。これにより、ＲＦ受信機で外部素子を使わずに、ハーモニック信号及びイメージ信号を除去することができるようになる。【選択図】図１
2011125008.tif 000002
【特許請求の範囲】
【請求項１】
第１入力信号からハーモニック信号成分を除去する第１ハーモニック除去部と、
第２入力信号からハーモニック信号成分を除去する第２ハーモニック除去部と、
を含み、
前記第１ハーモニック除去部及び第２ハーモニック除去部は並列接続され、前記第１入力信号及び第２入力信号からイメージ信号成分を除去することを特徴とするミキサー。
【請求項２】
前記第１及び第２ハーモニック除去部のうち少なくとも一方は、位相差を持つ複数の局部発振信号を入力信号とミキシングし、前記ハーモニック信号成分を除去するハーモニック除去ミキサー部で実現されることを特徴とする請求項１に記載のミキサー。
【請求項３】
前記ハーモニック除去ミキサー部は、
２つのダブルバランス（ｄｏｕｂｌｅ  ｂａｌａｎｃｅ）構造のハーモニック除去ミキサーを含むシングルクワドラチャ（ｓｉｎｇｌｅ  ｑｕａｄｒａｔｕｒｅ）構造であることを特徴とする請求項２に記載のミキサー。
【請求項４】
前記第１及び第２ハーモニック除去部のうち少なくとも一方は、入力信号からハーモニック信号成分をフィルタリングするハーモニック除去フィルタ及びフィルタリングされた信号を周波数変換するミキサーで実現されることを特徴とする請求項１に記載のミキサー。
【請求項５】
前記第１ハーモニック除去部は同位相信号を入力され、前記第２ハーモニック除去部は直交位相信号を入力され、前記第１及び第２ハーモニック除去部の出力は並列接続されることを特徴とする請求項１に記載のミキサー。
【請求項６】
入力される信号をフィルタリングする第１フィルタ部と、
前記フィルタリングされた信号のハーモニック信号を各々除去する複数のハーモニック除去部が並列接続され、イメージ信号成分を除去するミキサー部と、
を含むＲＦ受信機。
【請求項７】
前記ミキサー部は、第１ハーモニック除去部及び前記第１ハーモニック除去部に並列接続された第２ハーモニック除去部を含むことを特徴とする請求項６に記載のＲＦ受信機。
【請求項８】
位相差を持つ複数の局部発振信号を生成する局部発振部を更に含み、
前記第１及び第２ハーモニック除去部のうち少なくとも一方は、前記位相差を持つ複数の局部発振信号を前記フィルタリングされた信号とミキシングし、前記ハーモニック信号成分を除去するハーモニック除去ミキサー部で実現されることを特徴とする請求項７に記載のＲＦ受信機。
【請求項９】
前記ハーモニック除去ミキサー部は、
２つのダブルバランス（ｄｏｕｂｌｅ  ｂａｌａｎｃｅ）構造のハーモニック除去ミキサーを含むシングルクワドラチャ（ｓｉｎｇｌｅ  ｑｕａｄｒａｔｕｒｅ）構造であることを特徴とする請求項８に記載のＲＦ受信機。
【請求項１０】
前記第１及び第２ハーモニック除去部のうち少なくとも一方は、ハーモニック信号をフィルタリングするハーモニックリジェクションフィルタ及びフィルタリングされた信号を周波数変換するミキサーで実現されることを特徴とする請求項７に記載のＲＦ受信機。
【請求項１１】
前記第１フィルタ部は、前記入力信号に対するインフェーズ信号及びクワドラチャフェーズ信号を生成する多位相フィルタで実現されることを特徴とする請求項６に記載のＲＦ受信機。
【請求項１２】
前記ミキサー部の後端に位置して前記イメージ信号成分をフィルタリングする第２フィルタ部を更に含むことを特徴とする請求項６に記載のＲＦ受信機。
【請求項１３】
前記第２フィルタ部は複素フィルタ（ｃｏｍｐｌｅｘ  ｆｉｌｔｅｒ）で実現されることを特徴とする請求項１２に記載のＲＦ受信機。
【請求項１４】
前記第２フィルタ部は多位相フィルタ（Ｐｏｌｙｐｈａｓｅ  ｆｉｌｔｅｒ）で実現されることを特徴とする請求項１２に記載のＲＦ受信機。
【請求項１５】
前記第１ハーモニック除去部は同位相信号を入力され、前記第２ハーモニック除去部は直交位相信号を入力され、前記第１及び第２ハーモニック除去部の出力は並列接続されることを特徴とする請求項７に記載のＲＦ受信機。
【発明の詳細な説明】
【技術分野】
【０００１】
本発明は、ミキサー及びこれを用いるＲＦ受信機に関し、より詳細には、外部素子を使わずに、ハーモニック信号及びイメージ信号を同時に除去するミキサー及びこれを用いるＲＦ受信機に関する。
【背景技術】
【０００２】
一般的に広帯域ＲＦ受信機は、広帯域のＲＦ信号を受信して処理する装置である。
【０００３】
広帯域ＲＦ受信機では、狭帯域ＲＦ受信機とは違って、所望のチャネルの信号だけでなく、所望でないチャネルの信号も共に受信される。
【０００４】
これにより、ハーモニック信号（Ｈａｒｍｏｎｉｃ  ｓｉｇｎａｌ）、イメージ信号（Ｉｍａｇｅ  ｓｉｇｎａｌ）及び線形性（Ｌｉｎｅａｒｉｔｙ）のような技術的な問題が存在する。
【０００５】
上述の技術的な問題のうち、ハーモニック信号とイメージ信号の問題を解決するための方法として、ＳＡＷフィルタを外装するダブルコンバージョン（Ｄｏｕｂｌｅ  ｃｏｎｖｅｒｓｉｏｎ）方式を主に使っていた。ところが、ダブルコンバージョン方式は、ＳＡＷフィルタのようなチップ外部素子の使用を前提にしなければならないため、ＲＦＩＣ又はＳｏＣに集積化させる現在の傾向にはそぐわなくなるという問題がある。
【先行技術文献】
【特許文献】
【０００６】
【特許文献１】日本特開第１９９３−１９１１５３号公報
【特許文献２】日本特開第２００９−０２１９４４号公報
【特許文献３】日本特開第２００８−０６０８５９号公報
【特許文献４】韓国特開第２００６−００８２２０８号公報
【発明の概要】
【発明が解決しようとする課題】
【０００７】
本発明は、上述の問題を解決するためのものであり、本発明の目的は、外部素子を使わずに、ミキサー端でハーモニック信号及びイメージ信号を同時に除去できるミキサー及びこれを用いるＲＦ受信機を提供することにある。
【課題を解決するための手段】
【０００８】
本発明の一実施形態に係るミキサーは、第１入力信号からハーモニック信号成分を除去する第１ハーモニック除去部及び、第２入力信号からハーモニック信号成分を除去する第２ハーモニック除去部を含み、前記第１ハーモニック除去部及び第２ハーモニック除去部は並列接続され、前記第１入力信号及び第２入力信号からイメージ信号成分を除去する。
【０００９】
ここで、前記第１及び第２ハーモニック除去部のうち少なくとも一方は、位相差を持つ複数の局部発振信号を入力信号とミキシングし、前記ハーモニック信号成分を除去するハーモニック除去ミキサー部で実現されてよい。
【００１０】
なお、前記ハーモニック除去ミキサー部は、２つのダブルバランス（ｄｏｕｂｌｅ  ｂａｌａｎｃｅ）構造のハーモニック除去ミキサーを含むシングルクワドラチャ（ｓｉｎｇｌｅ  ｑｕａｄｒａｔｕｒｅ）構造でもよい。
【００１１】
なお、前記第１及び第２ハーモニック除去部のうち少なくとも一方は、入力信号からハーモニック信号成分をフィルタリングするハーモニック除去フィルタ及びフィルタリングされた信号を周波数変換するミキサーで実現されてよい。
【００１２】
なお、前記第１ハーモニック除去部は同位相信号を入力され、前記第２ハーモニック除去部は直交位相信号を入力され、前記第１及び第２ハーモニック除去部の出力は並列接続されてよい。
【００１３】
一方、本発明の一実施形態に係るＲＦ受信機は、入力される信号をフィルタリングする第１フィルタ部、前記フィルタリングされた信号のハーモニック信号を各々除去する複数のハーモニック除去部が並列接続され、イメージ信号成分を除去するミキサー部を含む。
【００１４】
ここで、前記ミキサー部は、第１ハーモニック除去部及び前記第１ハーモニック除去部に並列接続された第２ハーモニック除去部を含んでよい。
【００１５】
なお、位相差を持つ複数の局部発振信号を生成する局部発振部を更に含み、前記第１及び第２ハーモニック除去部のうち少なくとも一方は、前記位相差を持つ複数の局部発振信号を前記フィルタリングされた信号とミキシングし、前記ハーモニック信号成分を除去するハーモニック除去ミキサー部で実現されてよい。
【００１６】
なお、前記ハーモニック除去ミキサー部は、２つのダブルバランス（ｄｏｕｂｌｅ  ｂａｌａｎｃｅ）構造のハーモニック除去ミキサーを含むシングルクワドラチャ（ｓｉｎｇｌｅ  ｑｕａｄｒａｔｕｒｅ）構造でもよい。
【００１７】
なお、前記第１及び第２ハーモニック除去部のうち少なくとも一方は、ハーモニック信号をフィルタリングするハーモニックリジェクションフィルタ及びフィルタリングされた信号を周波数変換するミキサーで実現されてよい。
【００１８】
なお、前記第１フィルタ部は、前記入力信号に対するインフェーズ信号及びクワドラチャフェーズ信号を生成する多位相フィルタで実現されてよい。
【００１９】
なお、前記ミキサー部の後端に位置して前記イメージ信号成分をフィルタリングする第２フィルタ部を更に含んでよい。
【００２０】
なお、前記第２フィルタ部は複素フィルタ（ｃｏｍｐｌｅｘ  ｆｉｌｔｅｒ）で実現されてよい。
【００２１】
なお、前記第２フィルタ部は多位相フィルタ（Ｐｏｌｙｐｈａｓｅ  ｆｉｌｔｅｒ）で実現されてよい。
【００２２】
なお、前記第１ハーモニック除去部は同位相信号を入力され、前記第２ハーモニック除去部は直交位相信号を入力され、前記第１及び第２ハーモニック除去部の出力は並列接続されてよい。
【発明の効果】
【００２３】
以上のような本発明の多様な実施形態によると、広帯域ＲＦ受信機で、ＳＡＷフィルタのような外部素子を使わずに、ハーモニック信号及びイメージ信号成分を同時に除去することができる。これにより、ＲＦＩＣ又はＳｏＣに集積化させる現在の傾向の中で、外部素子の使用を排除するＲＦ受信機を実現することができるようになる。
【図面の簡単な説明】
【００２４】
【図１】本発明の一実施形態に係るミキサーの構造を説明するための図である。
【図２Ａ】本発明の多様な実施形態に係るハーモニック除去部の具体的な実現形態を示す図である。
【図２Ｂ】本発明の多様な実施形態に係るハーモニック除去部の具体的な実現形態を示す図である。
【図３Ａ】図２Ａ及び図２Ｂに示されたハーモニック除去部のハーモニック信号除去過程を説明するための図である。
【図３Ｂ】図２Ａ及び図２Ｂに示されたハーモニック除去部のハーモニック信号除去過程を説明するための図である。
【図４】図１に示されたミキサー１００のイメージ除去過程を説明するための図である。
【図５】本発明の一実施形態に係るＲＦ受信機の構成を示すブロック図である。
【図６】本発明に係るミキサー部１００の細部構成を示す回路図である。
【図７Ａ】ミキサー部１００に入力される局部発振信号の波形を説明するための図である。
【図７Ｂ】本発明の一実施形態に係るハーモニック除去ミキサーの構成を示す回路図である。
【図８Ａ】図５及び図６に示された構成の各ステップにおける信号形態を説明するための図である。
【図８Ｂ】図５及び図６に示された構成の各ステップにおける信号形態を説明するための図である。
【図８Ｃ】図５及び図６に示された構成の各ステップにおける信号形態を説明するための図である。
【図８Ｄ】図５及び図６に示された構成の各ステップにおける信号形態を説明するための図である。
【図８Ｅ】図５及び図６に示された構成の各ステップにおける信号形態を説明するための図である。
【発明を実施するための形態】
【００２５】
以下に添付図面を参照しながら、本発明について具体的に説明する。
【００２６】
図１は、本発明の一実施形態に係るミキサーの構造を説明するための図である。
【００２７】
図１に示されたミキサー１００は、好適には広帯域の放送信号を受信して処理する広帯域受信機（Ｗｉｄｅｂａｎｄ  ＲＦ  ｒｅｃｅｉｖｅｒ）に用いられることができる。
【００２８】
図１によると、本発明の一実施形態に係るミキサー１００は、２つのハーモニック除去部１０、２０が並列接続された形態になることができる。ここで、並列接続とは、具体的に２つのハーモニック除去部１０、２０の出力が並列接続された構造を意味する。
【００２９】
第１ハーモニック除去部１０及び第２ハーモニック除去部２０は、各々入力信号からハーモニック信号成分を除去する機能を持つ。ここで、ハーモニック信号（又は高調波信号）とは、元来の周波数信号の逓倍周波数信号（例えば、元来の周波数信号をｆｏとする際に、２ｆｏ、３ｆｏ…などの周波数を持つ信号成分）として、このようなハーモニック信号は設計者の所望でない信号、いわゆるノイズ成分となる。
【００３０】
ここで、第１及び第２ハーモニック除去部１０、２０は、ハーモニック除去ミキサー部（ｈａｒｍｏｎｉｃ  ｒｅｊｅｃｔｉｏｎ  ｍｉｘｅｒ）又はハーモニック除去フィルタ＋一般ミキサーの形態で実現できる。
【００３１】
一方、ミキサー１００は、ハーモニック除去ミキサー部（ｈａｒｍｏｎｉｃ  ｒｅｊｅｃｔｉｏｎ  ｍｉｘｅｒ）又はハーモニック除去フィルタ＋ミキサーの形態で実現される第１及び第２ハーモニック除去部１０、２０が並列接続された形態となる。
【００３２】
上述のように、第１及び第２ハーモニック除去部１０、２０が並列接続されることで、所望のチャネルのイメージ信号成分を除去できるイメージリジェクションを行うことができる。例えば、ＲＦ信号を＋周波数帯域に、イメージ信号を−周波数帯域に分離し、ＲＦ信号とイメージ信号の成分が、＋周波数帯域に同時に存在しないように、又は、−周波数帯域に同時に存在しないように処理する。イメージ信号（又はイメージ周波数）成分とは、ＲＦ受信機で、局部発振周波数を中心として受信信号と周波数的に対称の周波数成分のことを意味する。
【００３３】
以下で、ハーモニック除去部１０、２０の具体的な実現形態について説明する。
【００３４】
図２Ａ及び図２Ｂは、本発明の多様な実施形態に係るハーモニック除去部の具体的な実現形態を示す図である。
【００３５】
図２Ａによると、第１ハーモニック除去部１０は、第１ハーモニック除去ミキサー１１及び第２ハーモニック除去ミキサー１２を含み、第２ハーモニック除去部２０は、第３ハーモニック除去ミキサー２１及び第４ハーモニック除去ミキサー２２を含む。
【００３６】
第１ないし第４ハーモニック除去ミキサー１１、１２、２１、２２は、各々ＲＦ＋、ＲＦ−信号を受信してＩＦ＋、ＩＦ−信号を生成するダブルバランス構造で実現できる。
【００３７】
なお、第１ないし第４ハーモニック除去ミキサー１１、１２、２１、２２は、局部発振信号（ＬＯ）に応答してターンオン又はターンオフされる複数個のトランジスタを備える形態になることができる。複数個のトランジスタは、位相差を持つ複数個の局部発振信号（ＬＯ）を印加されて、順次にターンオン又はオフされ、結果的に正弦波形の局部発振信号を提供するようになり、ＲＦ信号に含まれたハーモニック信号成分を除去することができる。
【００３８】
一方、第１ハーモニック除去部１０及び第２ハーモニック除去部２０は、各々２つのＲＦ信号を受信し、４つのＩＦ（Ｉｎｔｅｒｍｅｄｉａｔｅ  Ｆｒｅｑｕｅｎｃｙ）信号を出力するシングルクワドラチャ（ｓｉｎｇｌｅ  ｑｕａｄｒａｔｕｒｅ）構造になることができる。即ち、第１ハーモニック除去部１０を構成する第１及び第２ハーモニック除去ミキサー１１、１２が、各々ダブルバランス構造で実現されることで、第１ハーモニック除去部１０は、結局４つのＩＦ信号を出力するようになる。
【００３９】
なお、ミキサー１００は、第１ハーモニック除去部１０及び第２ハーモニック除去部２０が各々受信する２つのＲＦ信号を合わせて計４つのＲＦ信号を受信し、第１ハーモニック除去ミキサー１１及び第４ハーモニック除去ミキサー２２の出力を合わせて２つのＩＦ信号を出力し、第２ハーモニック除去ミキサー１２及び第３ハーモニック除去ミキサー２１の出力を合わせて２つのＩＦ信号を出力するようになる。これにより、ミキサー１００は、４つのＲＦ信号を受信して４つのＩＦ信号を出力するダブルクワドラチャ（ｓｉｎｇｌｅ  ｑｕａｄｒａｔｕｒｅ）構造になることができる。
【００４０】
図２Ｂは、本発明の別の実施形態に係るハーモニック除去部の細部構成を示す図である。
【００４１】
図２Ｂによると、第１ハーモニック除去部１０’は、第１フィルタ１３、第１ミキサー１４及び第２フィルタ１５、第２ミキサー１６を含み、第２ハーモニック除去部２０’は、第３フィルタ２３、第３ミキサー２４及び第４フィルタ２５、第４ミキサー２６を含む。
【００４２】
第１ないし第４フィルタ１３、１５、２３、２５は入力される信号からハーモニック信号成分を除去するハーモニック除去フィルタで実現できる。具体的に、第１ないし第４フィルタ１３、１５、２３、２５は、ＬＰＦ（Ｌｏｗ−Ｐａｓｓ  Ｆｉｌｔｅｒ）、ＨＰＦ（Ｈｉｇｈ−Ｐａｓｓ  Ｆｉｌｔｅｒ）、ＢＰＦ（Ｂａｎｄ−Ｐａｓｓ  Ｆｉｌｔｅｒ）などのフィルタで実現され、周波数フィルタリングを行うことができる。これにより、所望のチャネル周辺の帯域のみを通過させて残りの信号は抑制できるため、ハーモニック信号によるノイズ源を前もって除去できるようになる。即ち、局部発振周波数のハーモニック信号帯域に対応されるＲＦ信号の高調波成分を除去させる役割を担うことができる。
【００４３】
場合に応じては、第１ないし第４フィルタ１３、１５、２３、２５は、ハーモニック信号成分を除去するハーモニック除去フィルタとイメージ信号成分を除去するイメージ除去フィルタ（ＩＲＦ）が、１つのフィルタで実現された形態も可能である。
【００４４】
第１ないし第４ミキサー１４、１６、２４、２６の各々は、第１ないし第４フィルタ１３、１５、２３、２５によってハーモニック信号成分の除去されたＲＦ信号を、局部発振部（図示せず）によるＬＯ信号と混合してＩＦ信号を生成する機能を持つ。
【００４５】
ここで、第１ないし第４ミキサー１４、１６、２４、２６は、２つのＲＦ＋、ＲＦ−信号が入力され、局部発振信号（ＬＯ）とミキシングして２つのＩＦ＋、ＩＦ−信号を出力するダブルバランスミキサーで実現できる。ダブルバランスミキサーは、ダブルバランス（ｄｏｕｂｌｅ  ｂａｌａｎｃｅ）方式を用いてミキシングを行い、これは周知技術であるため、詳細な説明は省略する。第１ないし第４ミキサー１４、１６、２４、２６は、例えばギルバートセル（Ｇｉｌｂｅｒｔ  ｃｅｌｌ）ミキサー（又はギルバートミキサー）で実現できる。但し、これは一実施形態に過ぎず、ＲＦ信号をＩＦ信号にダウンコンバージョンする機能を備えるミキサーなら、制限されずに用いられることができる。
【００４６】
上述のように、第１ないし第４フィルタ１３、１５、２３、２５及び第１ないし第４ミキサー１４、１６、２４、２６の各々の組合せは、ハーモニック信号成分を除去し、ＲＦ信号をＩＦ信号にダウンコンバージョンする機能を提供することになる。
【００４７】
図３Ａ及び図３Ｂは、図２Ａ及び図２Ｂに示されたハーモニック除去部のハーモニック信号除去過程を説明するための図である。
【００４８】
図３Ａは、図２Ａに示されたハーモニック除去部のハーモニック信号除去過程を説明するための図である。
【００４９】
図３Ａに示された構成は、ハーモニックリジェクションミキサー１１でハーモニック信号を除去する構成として、位相差のある６つの局部発振信号（ＬＯ）をハーモニックリジェクションミキサー１１を構成する３つの局部ミキサーに提供し、ＲＦ信号のハーモニック信号成分を除去してダウンコンバージョンされたＩＦ信号を出力することができる。
【００５０】
図３Ｂに示された構成は、ハーモニックリジェクションフィルタ１３及び一般的なミキサー１４でハーモニック信号を除去する構成として、ハーモニックリジェクションフィルタ１３を用いてＲＦ信号のハーモニック信号成分をフィルタリングした後、フィルタリングされたＲＦ信号をミキサー１４に提供してダウンコンバージョンされたＩＦ信号を出力することができる。
【００５１】
図４は、図１に示されたミキサー１００のイメージ除去過程を説明するための図である。
【００５２】
図１に示されたミキサー１００は、ハーモニック除去ミキサー又はハーモニック除去フィルタ＋ミキサーの形態で実現される第１ハーモニック除去部１０及び第２ハーモニック除去部２０が並列接続され、イメージ信号成分を除去するイメージリジェクション機能を持つようになる。
【００５３】
図４に示されたように、ミキサー１００は、ＲＦ信号（−ＲＦ）及びイメージ信号（−Ｉｍａｇｅ）を含む信号を、局部発振信号（＋ＬＯ）とミキシングしてＲＦ信号（−ＲＦ）及びイメージ信号（−Ｉｍａｇｅ）を互いに異なる周波数帯域に分離することができる。これにより、フィルタなどを用いて負（−）の周波数帯域に分離されたイメージ信号成分を除去できるようになる。
【００５４】
一方、図４では、Ｈｉｇｈ  ｓｉｄｅ  ｉｎｊｅｃｔｉｏｎである場合のみを示したが、これは、一実施形態に過ぎず、Ｌｏｗ  ｓｉｄｅ  ｉｎｊｅｃｔｉｏｎの場合も同様の方法で実現可能である。
【００５５】
なお、図４で−ＲＦ、−ｉｍａｇｅと＋ＬＯを使ってイメージ除去機能を行うものとして説明したが、これも一実施形態に過ぎず、場合に応じては、＋ＲＦ、＋ｉｍａｇｅと−ＬＯを使ってイメージ除去機能を行うこともできる。
【００５６】
図５は、本発明の一実施形態に係るＲＦ受信機の構成を示すブロック図である。
【００５７】
図５によると、ＲＦ受信機は第１フィルタ部３０、ミキサー部１００、局部発振部４０及び第２フィルタ５０を含む。図５に示されたＲＦ受信機は、広帯域受信機（Ｗｉｄｅｂａｎｄ  ＲＦ  ｒｅｃｅｉｖｅｒ）で実現できる。
【００５８】
ミキサー部１００は、図１ないし図４に示されたミキサー１００の構成と同様であり、これについては図１ないし図４で詳細に説明したため、ミキサー部１００についての詳細な説明は省略する。なお、説明の便宜上、ミキサー部１００が、図２Ａに示されたように、ハーモニック除去ミキサーで実現される場合を想定して説明を進める。
【００５９】
第１フィルタ部３０は、入力されるＲＦ信号（Ｉｎ）をＩ／Ｑ信号に変換する役割を担う。具体的に、入力されるＲＦ＋（ＩｎＰ）信号及びＲＦ−信号（ＩｎＮ）を各々インフェーズ（Ｉｎ  ｐｈａｓｅ）信号（ＩｎＩＰ、ＩｎＩＮ）及びクワドラチャフェーズ（ｑｕａｄｒａｔｕｒｅ  ｐｈａｓｅ）信号（ＩｎＱＰ、ＩｎＱＮ）に分配する機能を持つ。例えば、第１フィルタ部３０は、ポリフェーズフィルタ（ＰＰＦ：ｐｏｌｙ  ｐｈａｓｅ  ｆｉｌｔｅｒ）で実現できる。ポリフェーズフィルタはフィルタを多端化することで、比較的に広帯域の位相特性を得ることができ、Ｉ／Ｑ間における振幅差が生じにくいという特徴を持つ。
【００６０】
なお、第１フィルタ部３０は、ＲＣ移相器、周波数分周器などで実現されることも可能である。ＲＣ移相器は、ＬＰＦ（Ｌｏｗ  Ｐａｓｓ  Ｆｉｌｔｅｒ）とＨＰＦ（Ｈｉｇｈ  Ｐａｓｓ  Ｆｉｌｔｅｒ）の通過位相差を用いたものとして、９０度の位相差を持つクワドラチャ信号を生成することができる。周波数分周器は、入力信号の１／２分周出力を行う際に、９０度の位相差の分周出力を生成することができる。
【００６１】
これにより、第１フィルタ部３０から出力される信号は、インフェーズ（Ｉｎ  ｐｈａｓｅ）信号（ＩｎＩＰ、ＩｎＩＮ）を出力する同位相経路Ｉ_ｐａｔｈとクワドラチャフェーズ（ｑｕａｄｒａｔｕｒｅ  ｐｈａｓｅ）信号（ＩｎＱＰ、ＩｎＱＮ）を出力する直交位相経路Ｑ_ｐａｔｈとに区分される。
【００６２】
ミキサー部１００は、第１フィルタ部３０から出力されるＩ／Ｑ  ＲＦ信号をＩ／Ｑ  ＩＦ信号（例えば、中心周波数４ＭＨｚ）に変換する役割を担う。ミキサー部１００は局部発振部（ＬＯ：Ｌｏｃａｌ  Ｏｓｃｉｌｌａｔｏｒ）４０から出力されたローカル発振信号（ＬＯ）をミキシングしてＲＦ信号をＩＦ（Ｉｎｔｅｒｍｅｄｉａｔｅ  Ｆｒｅｑｕｅｎｃｙ）信号にダウンコンバーティングする。ここで、中間周波数は、ＲＦ受信方式（ＲＦ周波数を低い周波数に変換していく方式）で復調するために周波数が変換された周波数のことを意味する。
【００６３】
第１フィルタ部３０から同位相経路Ｉ_ｐａｔｈに従って出力されるインフェーズ（Ｉｎ  ｐｈａｓｅ）信号（ＩｎＩＰ、ＩｎＩＮ）は、第１ハーモニック除去部１０に入力され、直交位相経路Ｑ_ｐａｔｈに従って出力されるクワドラチャフェーズ（ｑｕａｄｒａｔｕｒｅ  ｐｈａｓｅ）信号（ＩｎＱＰ、ＩｎＱＮ）は、第２ハーモニック除去部２０に入力される。
【００６４】
局部発振部４０は、ミキサー部１００に周波数合成のための局部発振信号（ＬＯ）を供給する役割を担う。
【００６５】
位相固定ループ（Ｐｈａｓｅ  Ｌｏｃｋｅｄ  Ｌｏｏｐ：ＰＬＬ）（図示せず）は、ＲＦ  ＬＯ出力周波数が揺らぐことなく一定に保たれるように、固定する役割を担う。即ち、ｃｏｎｔｒｏｌ入力を通じて、ＲＦ  ＬＯに使われるＶＣＯ（電圧調整発振器）の電圧を精巧に調節し、ＲＦ  ＬＯ出力周波数を所望の周波数に移動して固定する役割を担うことができる。
【００６６】
一方、第１ハーモニック除去部１０の第１ハーモニック除去ミキサー１１は、入力されるインフェーズ（Ｉｎ  ｐｈａｓｅ）ＲＦ信号（ＩｎＩＰ、ＩｎＩＮ）を定位相局部発振信号ＬＯ  Ｉを用いて、ダウンコンバーティングして定位相ＩＦ信号に変換し、第２ハーモニック除去ミキサー１２は、インフェーズ（Ｉｎ  ｐｈａｓｅ）ＲＦ信号（ＩｎＩＰ、ＩｎＩＮ）を直交位相局部発振信号ＬＯ  Ｑを用いてダウンコンバーティングして直交位相ＩＰ信号に変換することができる。
【００６７】
なお、第２ハーモニック除去部２０の第３ハーモニック除去ミキサー２１は、入力されるクワドラチャフェーズ（ｑｕａｄｒａｔｕｒｅ  ｐｈａｓｅ）ＲＦ信号（ＩｎＱＰ、ＩｎＱＮ）を直交位相局部発振信号ＬＯ  Ｑを用いてダウンコンバーティングして定位相ＩＦ信号に変換し、第４ハーモニック除去ミキサー２２は、クワドラチャフェーズ（ｑｕａｄｒａｔｕｒｅ  ｐｈａｓｅ）ＲＦ信号（ＩｎＱＰ、ＩｎＱＮ）を定位相局部発振信号ＬＯ  Ｉを用いてダウンコンバーティングして直交位相ＩＦ信号に変換することができる。
【００６８】
第２フィルタ５０は、ハーモニック及びイメージを除去するミキサー部１００のＩＦ出力からイメージ信号をフィルタリングする機能を持つ。第２フィルタ部５０は、ミキサー部１００から出力されるＩＦ信号に含まれたリアル信号（Ｒｓ）及びイメージ信号（Ｉｓ）のうち、イメージ信号（Ｉｓ）は最小化させてリアル信号（Ｒｓ）はそのまま通過させる複素フィルタ（Ｃｏｍｐｌｅｘ  ｆｉｌｔｅｒ）で実現できる。場合に応じては、第２フィルタ部５０は多位相フィルタで実現されることも可能である。
【００６９】
図６は、本発明に係るミキサー部１００の細部構成を示す回路図である。
【００７０】
図６を参照しながら、ミキサー１００は第１入力信号（ＩｎＩＰ、ＩｎＩＮ）を受信する第１ハーモニック除去部１０及び第２入力信号（ＩｎＱＰ、ＩｎＱＮ）を受信する第２ハーモニック除去部２０を含む。
【００７１】
ここで、第１入力信号（ＩｎＩＰ、ＩｎＩＮ）は、１８０度の位相差を持つ第１ポジティブ入力信号（ＩｎＩＰ）と第１ネガティブ入力信号（ＩｎＩＮ）とを含む。なお、第２入力信号（ＩｎＱＰ、ＩｎＱＮ）は、１８０度の位相差を持つ第２ポジティブ入力信号（ＩｎＱＰ）と第２ネガティブ入力信号（ＩｎＱＮ）とを含む。第１入力信号（ＩｎＩＰ、ＩｎＩＮ）は第２入力信号（ＩｎＱＰ、ＩｎＱＮ）と９０度の位相差を持つ。
【００７２】
第１ハーモニック除去部１０は、第１ポジティブ入力信号（ＩｎＩＰ）と第１ネガティブ入力信号（ＩｎＩＮ）とを受信する第１ハーモニック除去ミキサー１１及び第２ハーモニック除去ミキサー１２を含む。
【００７３】
第１ハーモニック除去ミキサー１１は、第１ないし第３局部ミキサー１１−１、１１−２、１１−３を備え、第２ハーモニック除去ミキサー１２は、第１ないし第３局部ミキサー１２−１、１２−２、１２−３を備える。
【００７４】
図７Ａは、ミキサー部１００に入力される局部発振信号の波形を説明するための図である。
【００７５】
図７Ａを参考すると、局部発振信号（ＬＯ）は４つのポジティブサブ局部発振信号（Φ１＋（ＬＯ００）、Φ２＋（ＬＯ４５）、Φ３＋（ＬＯ９０）、Φ４＋（ＬＯ１３５））と４つのネガティブサブ局部発振信号（Φ１−（ＬＯ１８０）、Φ２−（ＬＯ２２５）、Φ３−（ＬＯ２７０）、Φ４−（ＬＯ３１５）を備える。
【００７６】
４つのポジティブサブ局部発振信号（Φ１＋、Φ２＋、Φ３＋、Φ４＋）は、互いに４５度の位相差を持ち、各々、図６のＬＯ００、ＬＯ４５、ＬＯ９０、ＬＯ１３５に対応されることができる。
【００７７】
４つのネガティブサブ局部発振信号（Φ１−、Φ２−、Φ３−、Φ４−）も、互いに４５度の位相差を持ち、各々、図６のＬＯ１８０、ＬＯ２２５、ＬＯ２７０、ＬＯ３１５に対応されることができる。
【００７８】
４つのネガティブサブ局部発振信号（Φ１−、Φ２−、Φ３−、Φ４−）は、４つのポジティブサブ局部発振信号（Φ１＋、Φ２＋、Φ３＋、Φ４＋）と各々１８０度の位相差を持つ。再度説明すると、局部発振信号（ＬＯ）は、４５度の位相差を持つ８つの信号を備える。
【００７９】
第１局部ミキサー１１−１は、第１ポジティブサブ局部発振信号（Φ１＋）と第１ネガティブサブ局部発振信号（Φ１−）を受信し、第１入力信号（ＩｎＩＰ（ＲＦ＋）、ＩｎＩＮ（ＲＦ−））と結合してＩＦ＋、ＩＦ−信号を出力する。ここでいう「結合」とは、入力信号（ＩｎＩＰ、ＩｎＩＮ）の周波数と第１ポジティブサブ局部発振信号（Φ１＋）の周波数とを足したり、入力信号（ＩｎＩＰ、ＩｎＩＮ）の周波数から第１ネガティブサブ局部発振信号（Φ１−）の周波数を引くことを意味する。
【００８０】
第２局部ミキサー１１−２は、第２ポジティブサブ局部発振信号（Φ２＋）と第２ネガティブサブ局部発振信号（Φ２−）を受信し、第１入力信号（ＩｎＩＰ（ＲＦ＋）、ＩｎＩＮ（ＲＦ−））と結合してＩＦ＋、ＩＦ−信号を出力する。
【００８１】
第３局部ミキサー１１−３は、第３ポジティブサブ局部発振信号（Φ３＋）と第３ネガティブサブ局部発振信号（Φ３−）を受信し、第１入力信号（ＩｎＩＰ（ＲＦ＋）、ＩｎＩＮ（ＲＦ−））と結合してＩＦ＋、ＩＦ−信号を出力する。
【００８２】
即ち、第１ないし第３局部ミキサー１１−１、１１−２、１１−３は、各々２つのＲＦ信号（ＲＦ＋、ＲＦ−）を入力され、２つのＬＯ信号（ＬＯ＋、ＬＯ−）とミキシングして２つのＩＦ信号（ＩＦ＋、ＩＦ−）を出力するダブルバランス構造のミキサーになることができる。
【００８３】
なお、第１ないし第３局部ミキサー１１−１、１１−２、１１−３の各々の出力は、並列接続されて出力信号（ＯＩＰ、ＯＩＮ）を出力する。即ち、第１ハーモニック除去ミキサー１１も、２つのＲＦ信号（ＲＦ＋、ＲＦ−）を入力され、６つのＬＯ信号（ＬＯ＋、ＬＯ−）とミキシングして２つのＩＦ信号（ＯＩＰ、ＯＩＮ）を出力するダブルバランス構造のハーモニック除去ミキサーになることができる。
【００８４】
第４ないし第６局部ミキサー１２−１、１２−２、１２−３も、第１ないし第３局部ミキサー１１−１、１１−２、１１−３と同様に、入力信号（ＩｎＩＰ、ＩｎＩＮ）と局部発振信号（ＬＯ）を結合して出力信号（ＯＱＰ、ＯＱＮ）を出力する。
【００８５】
具体的に、第４局部ミキサー１２−１は、第１局部ミキサー１１−１に提供された第１ポジティブサブ局部発振信号（Φ１＋：ＬＯ００）と第１ネガティブサブ局部発振信号（Φ１−：ＬＯ１８０）と９０度の位相差を持つ第３ポジティブサブ局部発振信号（Φ３＋：ＬＯ９０）及び第３ネガティブサブ局部発振信号（Φ３−：ＬＯ２７０）を受信し、第１入力信号（ＩｎＩＰ、ＩｎＩＮ）と結合して出力する。
【００８６】
第５局部ミキサー１２−２は、第２局部ミキサー１１−２に提供された第２ポジティブサブ局部発振信号（Φ２＋：ＬＯ４５）と第２ネガティブサブ局部発振信号（Φ２−：Φ１−：ＬＯ２２５）と９０度の位相差を持つ第４ポジティブサブ局部発振信号（Φ４＋：ＬＯ１３５）及び第４ネガティブサブ局部発振信号（Φ４−：ＬＯ３１５）を受信し、第１入力信号（ＩｎＩＰ、ＩｎＩＮ）と結合して出力する。
【００８７】
第６局部ミキサー１２−３は、第３局部ミキサー１１−３に提供された第３ポジティブサブ局部発振信号（Φ３＋：ＬＯ９０）と第３ネガティブサブ局部発振信号（Φ３−：ＬＯ２７０）と９０度の位相差を持つ第１ネガティブサブ局部発振信号（Φ１−：ＬＯ１８０）及び第１ポジティブサブ局部発振信号（Φ１＋：ＬＯ００）を受信し、第１入力信号（ＩｎＩＰ、ＩｎＩＮ）と結合して出力する。
【００８８】
即ち、第４ないし第６局部ミキサー１２−１、１２−２、１２−３も、各々２つのＲＦ信号（ＲＦ＋、ＲＦ−）を入力され、２つのＬＯ信号（ＬＯ＋、ＬＯ−）とミキシングして２つのＩＦ信号（ＩＦ＋、ＩＦ−）を出力するダブルバランス構造のミキサーになることができる。
【００８９】
なお、第４ないし第６局部ミキサー１２−１、１２−２、１２−３の各々の出力は、並列接続されて第１ないし第３局部ミキサー１１−１、１１−２、１１−３の出力信号（ＯＩＰ、ＯＩＮ）と９０度の位相差を持つ出力信号（ＯＱＰ、ＯＱＮ）を出力する。即ち、第２ハーモニック除去ミキサー１２も、２つのＲＦ信号（ＲＦ＋、ＲＦ−）を入力され、６つのＬＯ信号（ＬＯ＋、ＬＯ−）とミキシングして２つのＩＦ信号（ＯＩＰ、ＯＩＮ）を出力するダブルバランス構造のハーモニック除去ミキサーになることができる。
【００９０】
この場合、第１ハーモニック除去部１０は、２つのＲＦ信号（ＲＦ＋、ＲＦ−）を入力され、４つのＩＦ信号（ＯＩＰ、ＯＩＮ、ＯＱＰ、ＯＱＮ）を生成するシングルクワドラチャ構造になる。
【００９１】
上述のように、局部発振信号（ＬＯ）を、位相差を持つ８つの信号に区分し、第１ハーモニック除去部１０の第１ないし第６局部ミキサー１１−１、１１−２、１１−３、１２−１、１２−２、１２−３に入力すると、局部発振信号（ＬＯ）が量子化されたサイン波（ｑｕａｎｔｉｚｅｄ  ｓｉｎｕｓｏｉｄａｌ）の形態で第１ないし第６局部ミキサー１１−１、１１−２、１１−３、１２−１、１２−２、１２−３に入力されるものと同様の効果が持つ。この場合、第１ハーモニック除去部１０から出力されるＩＦ出力信号から、局部発振信号（ＬＯ）の周波数の整数倍の周波数を持つハーモニック信号（ｈａｒｍｏｎｉｃ  ｓｉｇｎａｌ）が除去されることができる。
【００９２】
第２ハーモニック除去部２０は、第２ポジティブ入力信号（ＩｎＱＰ）と第１ネガティブ入力信号（ＩｎＱＮ）を受信する第３ハーモニック除去ミキサー２１及び第４ハーモニック除去ミキサー２２を含む。
【００９３】
なお、第３ハーモニック除去ミキサー２１は、第７ないし第９局部ミキサー２１−１、２１−２、２１−３を備え、第４ハーモニック除去ミキサー２２は第１０ないし第１２局部ミキサー２２−１、２２−２、２２−３を備える。
【００９４】
第３ハーモニック除去ミキサー２１に備えられた第７ないし第９局部ミキサー２１−１、２１−２、２１−３は、各々第１ハーモニック除去ミキサー１１に備えられた第１ないし第３局部ミキサー１１−１、１１−２、１１−３と同様のサブ局部発振信号を受信し、第２入力信号（ＩｎＱＰ、ＩｎＱＮ）と結合して出力する。
【００９５】
なお、第４ハーモニック除去ミキサー２２に備えられた第１０ないし第１２局部ミキサー２２−１、２２−２、２２−３は、各々第２ハーモニック除去ミキサー１２に備えられた第４ないし第６局部ミキサー１２−１、１２−２、１２−３と同様のサブ局部発振信号を受信し、第２入力信号（ＩｎＱＰ、ＩｎＱＮ）と結合して出力する。
【００９６】
例えば、第７局部ミキサー２１−１は、第１局部ミキサー１１−１に提供された第１ポジティブサブ局部発振信号（Φ１＋：ＬＯ００）と第１ネガティブサブ局部発振信号（Φ１−：ＬＯ１８０）を受信し、第２入力信号（ＩｎＱＰ、ＩｎＱＮ）と結合して出力する。
【００９７】
これにより、第２ハーモニック除去部２０も、第１ハーモニック除去部１０と同様のハーモニック除去効果を持つようになる。
【００９８】
ここで、第７ないし第１２局部ミキサー２１−１、２１−２、２１−３、２２−１、２２−２、２２−３の出力もＲＦ信号がダウンコンバーティングされたＩＦ信号を出力するようになる。
【００９９】
第２ハーモニック除去部２０、第３ハーモニック除去ミキサー２１、第４ハーモニック除去ミキサー２２、第７ないし第１２局部ミキサー２１−１、２１−２、２１−３、２２−１、２２−２、２２−３の構成及び特性は、各々第１ハーモニック除去部１０、第１ハーモニック除去ミキサー１１、第２ハーモニック除去ミキサー１２、第１ないし第６局部ミキサー１１−１、１１−２、１１−３、１２−１、１２−２、１２−３の構成及び特性と同様であるため、詳細な説明は省略する。
【０１００】
一方、第１ハーモニック除去ミキサー１１の出力（ＯＩＰ、ＯＩＮ）は、第４ハーモニック除去ミキサー２２の出力（ＯＱＰ、ＯＱＮ）と結合してＯｕｔＩＰ及びＯｕｔＩＮに出力される。
【０１０１】
なお、第２ハーモニック除去ミキサー１２の出力（ＯＱＰ、ＯＱＮ）は、第３ハーモニック除去ミキサー２１の出力（ＯＩＰ、ＯＩＮ）と結合してＯｕｔＱＰ及びＯｕｔＱＮに出力される。
【０１０２】
即ち、ミキサー部１００は、４つのＲＦ信号（ＩｎＩＰ、ＩｎＩＮ、ＩｎＱＰ、ＩｎＱＮ）を入力され、８つの局部発振信号とミキシングして４つのＩＦ信号（ＯｕｔＩＰ、ＯｕｔＩＮ、ＯｕｔＱＰ、ＯｕｔＱＮ）を出力するダブルクワドラチャ構造になる。
【０１０３】
なお、第１ハーモニック除去ミキサー１１及び第２ハーモニック除去ミキサー１２を含む第１ハーモニック除去部１０と、第３ハーモニック除去ミキサー２１及び第４ハーモニック除去ミキサー２２を含む第２ハーモニック除去部２０との出力は、並列接続された形態になるため、イメージリジェクションの機能も同時に行えるようになる。
【０１０４】
図７Ｂは、本発明の一実施形態に係るハーモニック除去ミキサーの構成を示す回路図である。
【０１０５】
図７Ｂに示された構造は、図６に示された第１ハーモニック除去ミキサー１１に対応されることができる。
【０１０６】
図７Ｂによると、第１ないし第３局部ミキサー１１−１、１１−２、１１−３は、局部発振信号（ＬＯ）に応答して、ターンオン又はターンオフされる複数のトランジスタ（ＴＲ１ないしＴＲ１２）を備える。局部発振信号（ＬＯ）が位相差を持つ６つの信号を備え、６つの信号が対応される複数のトランジスタ（ＴＲ１ないしＴＲ１２）に印加されることで、複数のトランジスタ（ＴＲ１ないしＴＲ１２）が順次にターンオン又はターンオフされる。これによって、入力されたＲＦ信号に含まれたハーモニック信号が除去されるようになる。
【０１０７】
一方、第２ないし第４ハーモニック除去ミキサー１２、２１、２２の構成も、図７Ｂに示された回路構成と類似した形態になることができるが、ミキシングに提供される局部発振信号（ＬＯ）の位相差において差異が生じることがあり、これについては図６で詳細に説明したため、これ以上の詳細な説明は省略する。
【０１０８】
図８Ａないし図８Ｅは、図５及び図６に示された構造の各ステップにおける信号形態を説明するための図である。
【０１０９】
図８Ａは、第１フィルタ部３０に入力される信号（Ａ）の形態を示す。
【０１１０】
図８Ａによると、第１フィルタ部３０に入力される信号は、所望の周波数帯域の信号の他に、別の周波数帯域の信号（ＲＦ＋、ＲＦ−）を含む形態になる。なお、各ＲＦ信号はイメージ信号成分、即ち、局部発振周波数を中心としてＲＦ信号と周波数的に対称の周波数（Ｉｍａｇｅ＋、Ｉｍａｇｅ−）を含むことができる。
【０１１１】
図８Ｂは、第１フィルタ部３０を介してフィルタリングされ、ミキサー部１００に入力される信号形態（Ｂ）を示す。実質的に、第１フィルタ部３０では、入力されるＲＦ信号（ＲＦ＋、ＲＦ−）を、同位相信号（ＩＲＦ＋、ＩＲＦ−）と直交位相信号（ＱＲＦ＋、ＱＲＦ−）に分配する過程が行われ、この過程を周波数軸で示す場合、第１フィルタ部３０の出力によるパスでは、＋Ｆｒｅ帯域に存在する信号が除去される形態になるため、それを象徴的に図示した。
【０１１２】
図８Ｃは、局部発振部４０でミキサー部１００に入力される局部発振信号（ＬＯ）の効果を示す。
【０１１３】
これは、本発明の原理を簡単に説明するために、ハーモニックとイメージ除去ミキサーとで行われるハーモニック除去とイメージ除去機能を局部発振信号の効果（ＬＯ  ｅｆｆｅｃｔ）で表現したものである。
【０１１４】
局部発振信号（ＬＯ）は位相差を持つ複数のＬＯ信号形態で入力されるため、結果的に図８Ｃに示されたように、量子化されたサイン波（ｑｕａｎｔｉｚｅｄ  ｓｉｎｕｓｏｉｄａｌ）の形態になることができ、更に、ダブルクワドラチャ（Ｄｏｕｂｌｅ  ｑｕａｄｒａｔｕｒｅ）構造で構成され、＋Ｆｒｅ帯域側にのみ存在する局部発振信号（ＬＯ）の形態になることができる。
【０１１５】
図８Ｄは、ミキサー部１００から出力され、第２フィルタ５０に入力される信号の形態（Ｄ）を示す。
【０１１６】
ミキサー部１００では、第１フィルタ部３０から入力される同位相信号（ＩＲＦ＋、ＩＲＦ−）と直交位相信号（ＱＲＦ＋、ＱＲＦ−）と、局部発振部４０から提供される位相差を持つ複数個の局部発振信号（ＬＯ）とがミキシングされるため、ミキサー部１００からの出力信号は、図８Ｄに示されたように、ハーモニック信号成分が除去され、ＲＦ信号及びイメージ信号が、＋周波数帯域及び−周波数帯域に分離された信号形態になることができる。
【０１１７】
図８Ｅは、第２フィルタ５０から出力される信号の形態（Ｅ）を示す。
【０１１８】
図８Ｅによると、第２フィルタ部５０から出力される信号は、ミキサー部１００から出力されるＲＦ信号及びイメージ信号が、＋周波数帯域及び−周波数帯域に分離された信号形態からフィルタリングによって、−周波数帯域のイメージ周波数が除去された形態になることができる。
【０１１９】
上述のように、本発明の多様な実施形態によると、広帯域ＲＦ受信機でＳＡＷフィルタのような外部素子を使わずに、ハーモニック信号及びイメージ信号成分を同時に除去することができる。これによって、ＲＦＩＣ又はＳｏＣに集積化させる現在の傾向の中で、外部素子の使用を排除するＦｕｌｌ  ｉｎｔｅｒｇｒａｔｉｏｎ  ｗｉｄｅｂａｎｄ  ＲＦ  ｒｅｃｅｉｖｅｒを実現することができるようになる。
【０１２０】
このように、本発明は多様な形態で変更実施できるため、図示された内容及び上述の内容によって限定解釈されてはならない。
【０１２１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2011125008.tif 000003
【図２Ａ】
2011125008.tif 000004
【図２Ｂ】
2011125008.tif 000005
【図３Ａ】
2011125008.tif 000006
【図３Ｂ】
2011125008.tif 000007
【図４】
2011125008.tif 000008
【図５】
2011125008.tif 000009
【図６】
2011125008.tif 000010
【図７Ａ】
2011125008.tif 000011
【図７Ｂ】
2011125008.tif 000012
【図８Ａ】
2011125008.tif 000013
【図８Ｂ】
2011125008.tif 000014
【図８Ｃ】
2011125008.tif 000015
【図８Ｄ】
2011125008.tif 000016
【図８Ｅ】
2011125008.tif 000017